(57)【要約】【課題】液晶パネルを複数のエリアに分割して、分割された各エリア別にバックライトの光量を調整する表示装置における表示画像の不均一性を低減する技術を提供する。【解決手段】複数のエリアごとに光量調整が可能なＬＥＤバックライト（１６）と、液晶パネル（１２）と、液晶パネルに供給する画像データを、複数のエリアにおけるＬＥＤバックライトの光量に応じて補正する表示制御部（２４２）と、を備え、表示制御部は、対応するエリアのＬＥＤバックライトの光量と、その周囲のエリアのＬＥＤバックライトの光量との差に応じて画像データを補正するテレビ（１）。【選択図】図１
2017062428.tif 000002
【特許請求の範囲】
【請求項１】
複数のエリアに分割され、当該複数のエリアごとに光量調整が可能なバックライトと、
上記バックライトの前面側に配置された表示パネルと、
上記表示パネルに供給する画像データを、上記複数のエリアにおけるバックライトの光量に応じて補正する補正部と、を備え、
上記補正部は、上記画像データを、対応する上記エリアにおけるバックライトの光量と、その周囲のエリアにおけるバックライトの光量との差に応じて補正する
ことを特徴とする表示装置。
【請求項２】
上記表示パネルの裏面側に配置された光学シートと、
上記光学シートを上記バックライト側から支持する支持部材と、
をさらに備え、
上記補正部は、上記支持部材の影に起因した表示画像の不均一性が低減されるように、上記表示パネルに供給する画像データを補正する
ことを特徴とする請求項１に記載の表示装置。
【請求項３】
上記補正部は、上記複数のエリアのうち、少なくとも１つのエリアの表示画像の輝度および色度の少なくとも何れかを参照して作成された補正データを用いて、上記複数のエリアのうち、上記少なくとも１つのエリア以外のエリアに供給する画像データを補正する
ことを特徴とする請求項１または２に記載の表示装置。
【請求項４】
上記補正部は、上記複数のエリアにおける画像データを、当該エリアの表示画像の輝度および色度の少なくとも何れかを参照して作成された補正データを参照して補正する
ことを特徴とする請求項１または２に記載の表示装置。
【請求項５】
上記複数のエリアにおける画像データに加算する上記補正データは、
上記複数のエリアの各々におけるバックライトの光量が小さくなるに従って、当該エリアに対応する補正データの値が小さくなるように生成されたものである
ことを特徴とする請求項３または４に記載の表示装置。
【請求項６】
請求項１〜５の何れか１項に記載の表示装置を備える
ことを特徴とするテレビジョン受像機。
【請求項７】
請求項１〜５の何れか１項に記載の表示装置としてコンピュータを機能させるためのプログラムであって、上記補正部としてコンピュータを機能させるためのプログラム。
【請求項８】
請求項７に記載のプログラムを記録したコンピュータ読み取り可能な記録媒体。
【発明の詳細な説明】
【技術分野】
【０００１】
本発明は、表示画像を表示する表示装置、テレビジョン受像機、当該表示装置としてコンピュータを機能させるためのプログラム、および当該プログラムを記録した記録媒体に関する。
【背景技術】
【０００２】
近年、テレビジョン受像機などの表示装置に対し、薄型化および軽量化と共に低コスト化が求められてきている。このような要望に対応した表示装置として、液晶パネルを用いた表示装置が挙げられる。液晶パネルを用いた表示装置では、液晶パネルの背面に配置されたバックライトにて液晶パネルを照射することにより、カラー画像を表示させる。
【０００３】
一方、液晶パネルを用いた表示装置では、液晶パネルが表示する画像に輝度ムラ、色ムラが発生してしまう。そのため、液晶パネルを用いた表示装置において、輝度ムラ、色ムラの発生を抑制する技術が求められている。
【０００４】
例えば、引用文献１には、液晶パネルに略１００％の白色信号を表示させ、表示された白色画面を撮像装置で撮影して得られた輝度信号および／または色信号の逆数を演算する画像表示装置が開示されている。当該画像表示装置は、算出した逆数を補正データとして記憶し、記憶した補正データと入力された映像信号とを乗算することにより、液晶パネルに発生する輝度ムラおよび／または色ムラを補正する。
【先行技術文献】
【特許文献】
【０００５】
【特許文献１】特開２００９−２７１５０１号公報（２００９年１１月１９日公開）
【発明の概要】
【発明が解決しようとする課題】
【０００６】
しかしながら、上述の従来技術では、全てのバックライトの光量が等しい場合の液晶パネルの輝度ムラおよび色ムラしか補正できない。換言すると、上述の従来技術では、液晶パネルを複数のエリアに分割して、分割された各エリア別にバックライトの光量を調整するローカルディミングを行った場合に発生する輝度ムラおよび色ムラは補正できないという問題がある。
【０００７】
本発明は、前記の問題点に鑑みてなされたものであり、その目的は、液晶パネルを複数のエリアに分割して、分割された各エリア別にバックライトの光量を調整する表示装置における表示画像の不均一性を低減する技術を提供することにある。
【課題を解決するための手段】
【０００８】
上記の課題を解決するために、本発明の一態様に係る表示装置は、複数のエリアに分割され、当該複数のエリアごとに光量調整が可能なバックライトと、上記バックライトの前面側に配置された表示パネルと、上記表示パネルに供給する画像データを、上記複数のエリアにおけるバックライトの光量に応じて補正する補正部と、を備え、上記補正部は、上記画像データを、対応する上記エリアにおけるバックライトの光量と、その周囲のエリアにおけるバックライトの光量との差に応じて補正する。
【発明の効果】
【０００９】
本発明の一態様によれば、液晶パネルを複数のエリアに分割して、分割された各エリア別にバックライトの光量を調整する表示装置における表示画像の不均一性を低減することができる。
【図面の簡単な説明】
【００１０】
【図１】本実施形態に係るテレビジョン受像機の要部構成を示すブロック図である。
【図２】本実施形態に係るテレビを正面側から見た分解斜視図である。
【図３】本実施形態に係るテレビを背面側から見た分解斜視図である。
【図４】本実施形態における支持ピンおよび分割された複数のエリアを示す図であり、（ａ）は、支持ピンの形状を示す図であり、（ｂ）は、支持ピンおよび分割されたエリアを示す図である。
【図５】本実施形態における支持ピンが配置されているエリアの拡大図であり、（ａ）は、支持ピンの配置の一例を示す図であり、（ｂ）は、支持ピンの配置の他の例を示す図である。
【図６】本実施形態に係るテレビが表示する表示画像に映る支持ピンの影の画像である。
【図７】本実施形態における補正データを示す図である。
【図８】本実施形態に係るテレビが実行する補正処理の流れを示すフローチャートである。
【図９】本実施形態に係るテレビ、パーソナルコンピュータ、および携帯型情報端末装置を示す外観図であり、（ａ）はテレビの外観図、（ｂ）はパーソナルコンピュータの外観図、（ｃ）は、携帯型情報端末装置の外観図である。
【発明を実施するための形態】
【００１１】
［実施形態１］
本実施形態に係るテレビ（表示装置）１について、図１〜図８を参照して以下に説明する。但し、この実施形態に記載されている構成は、特に特定的な記載がない限り、この発明の範囲をそれのみに限定する趣旨ではなく、単なる説明例に過ぎない。
【００１２】
（テレビ１の概要）
図１は、本実施形態に係るテレビジョン受像機（以下、単に「テレビ」と称する場合もある）１の要部構成を示すブロック図である。テレビ１は、図１に示すように、液晶パネル（表示パネル）１２、ＬＥＤバックライト１６、チューナ２２、および制御部２４を備えている。
【００１３】
ここで、テレビ１の外観図を図９の（ａ）に示す。また、テレビ１は、パーソナルコンピュータ２（図９の（ｂ））、または情報端末装置３（図９の（ｃ））の一部として実現される構成であってもよい。
【００１４】
また、本明細書では、テレビ１がチューナを介して受信した画像を表示する構成について説明するが、本発明はこれに限定されない。例えば、テレビ１が、図示しないＨＤＭＩ（登録商標）レシーバを介して取得した画像を表示する構成であってもよいし、チューナを備えないモニタがパーソナルコンピュータから出力される信号を取得して画像を表示する構成であってもよい。
【００１５】
テレビ１は、チューナ２２を介して放送番組を受信し、当該放送番組の画像を液晶パネル１２に表示させ、音声をスピーカ１８（図１には不図示）から出力させる。また、テレビ１は、液晶パネル１２を複数のエリアに分割して、分割された複数のエリアごとにＬＥＤバックライト１６の光量を調整するローカルディミング機能を備えている。さらに、テレビ１は、ローカルディミングによって画像を表示する場合、液晶パネルに供給する画像データを、複数のエリアにおけるバックライトの光量に応じて補正する。
【００１６】
液晶パネル１２は、取得した画像データが示す画像を表示する表示デバイスである。
【００１７】
ＬＥＤバックライト１６は、複数のＬＥＤ素子１６０を備え、複数のＬＥＤ素子１６０によって液晶パネル１２を背面側から照射するバックライトである。
【００１８】
チューナ２２は、テレビの放送番組を受信するデバイスである。
【００１９】
制御部２４は、テレビ１の各構成を統括的に制御するものであり、ＣＰＵ（Central Processing Unit）により実現される。制御部２４の詳細について、以下に説明する。
【００２０】
（制御部２４）
制御部２４は、図１に示すように、画像取得部２４０および表示制御部（補正部）２４２としても機能する。
【００２１】
画像取得部２４０は、チューナ２２が出力する画像データを取得する。
【００２２】
表示制御部２４２は、ＬＥＤバックライト１６の光量を、分割された複数のエリアごとに制御する。より具体的には、分割された複数のエリアごとに、ＰＷＭ（Pulse Width Modulation）によりＤＵＴＹ比が異なる信号を送出することができる。また、表示制御部２４２は、液晶パネル１２に供給する画像データを、分割された複数のエリアにおけるＬＥＤバックライト１６の光量に応じて補正する。表示制御部２４２の詳細な処理については、後述する。
【００２３】
（テレビ１の構成）
本実施形態に係るテレビ１の構成について、図２および図３を参照して説明する。図２は、本実施形態に係るテレビ１を正面側から見た分解斜視図である。また、図３は、本実施形態に係るテレビ１を背面側から見た分解斜視図である。ここで、テレビ１において、後述するフロントキャビネット１０が存在する側を正面と称し、その反対側（後述するバックキャビネット２０が存在する側）を背面または裏面とも称する。また、以下の説明においては、各部材について、テレビ１を正面からみて上側（テレビ１の設置面と反対側）の側面を上側面、右側の側面を右側面、左側の側面を左側面、下側（テレビ１の設置面側）の側面を下側面と称する。
【００２４】
図２および図３に示すように、テレビ１は、フロントキャビネット１０、ベゼル１１、液晶パネル１２、シート保持枠１３、光学シート群１４、反射シート１５、ＬＥＤバックライト１６、バックライトシャーシ１７、スピーカ１８、バックキャビネット２０、および、メイン回路基板２１を備えている。
【００２５】
なお、本実施形態に係るテレビ１では、図２および図３に示すように、液晶パネル１２、光学シート群１４および反射シート１５の背面にＬＥＤバックライト１６が配置されることによって、直下型バックライトが構成されている。
【００２６】
以下、テレビ１の備える各部材の概要について説明する。
【００２７】
（フロントキャビネット１０、バックキャビネット２０）
フロントキャビネット１０は、主に、テレビ１の外枠を正面側から覆う筐体である。また、バックキャビネット２０は、主に、テレビ１を背面側から覆う筐体である。
【００２８】
（ベゼル１１、液晶パネル１２、シート保持枠１３）
ベゼル１１は、液晶パネル１２の表示面側から液晶パネル１２の周囲を覆うように配置され、シート保持枠１３と共に液晶パネル１２を把持することにより、バックライトシャーシ１７に対する液晶パネル１２の法線方向の位置を規定する。また、ベゼル１１を設けることにより、テレビ１の強度を保つことができ、静電対策にも有効である。
【００２９】
シート保持枠１３は、液晶パネル１２を支持するフレーム状の部材であり、上述のようにベゼル１１と共に液晶パネル１２を把持する。また、シート保持枠１３は、後述する光学シート群１４の周囲から光が漏れることを防ぐ遮光部材である。シート保持枠１３は、バックライトシャーシ１７と共に光学シート群１４を把持することにより、バックライトシャーシ１７に対する光学シート群１４の法線方向の位置を規定する。
【００３０】
（光学シート群１４、反射シート１５）
光学シート群１４は、後述するＬＥＤバックライト１６に備えられているＬＥＤ素子１６０から出射される光の光量のムラ（すなわち輝度ムラ）を低減するとともに、ＬＥＤ素子１６０から出射される光を調光して液晶パネル１２に向けて出射する機能を有している。
【００３１】
光学シート群１４は、例えば、拡散シート、プリズムシート、マイクロレンズシート、および、拡散シートなどを含んで構成されている。なお、光学シート群１４を構成する各シートの枚数および組み合わせは、所望の光学性能が得られるような枚数および組み合わせであれば、特に限定されるものではない。
【００３２】
反射シート１５は、ＬＥＤ素子１６０から出射される光を反射する。反射シート１５には、ＬＥＤ素子挿入孔１５１が形成されており、反射シート１５の背面側に設けられるＬＥＤバックライト１６の備えるＬＥＤ素子１６０がＬＥＤ素子挿入孔１５１に挿入される。これにより、反射シート１５は、ＬＥＤバックライト１６の基板とＬＥＤ素子１６０との間に位置することになる。
【００３３】
反射シート１５は、ＬＥＤバックライト１６およびバックキャビネット２０などに吸収されていた、ＬＥＤ素子１６０から出射される光を反射して有効に利用できるため、光学シート群１４に向けて出射される光量を増やすことができる。これによって、反射シート１５は、液晶パネル１２の輝度を向上させる事が出来る。
【００３４】
なお、反射シート１５は、入射した光が正反射するシートであってもよいが、乱反射するシートを用いることがより好ましい。反射シート１５として入射した光が乱反射するシートを用いることによって、反射シート１５は、入射角と異なる角度の反射成分を含んで光を反射させることができる。
【００３５】
また、反射シート１５は、支持ピン（支持部材）３０（図２および図３には不図示）によって固定されている。支持ピン３０は、反射シート１５を固定するとともに、光学シート群１４を押さえ付けて支持する。支持ピン３０の詳細については、参照する図面を替えて後述する。
【００３６】
（ＬＥＤバックライト１６、バックライトシャーシ１７、メイン回路基板２１）
ＬＥＤバックライト１６は、液晶パネル１２側にＬＥＤ素子１６０が配置されたバックライトであり、バックライトシャーシ１７に固定される。
【００３７】
ＬＥＤバックライト１６は短冊形の形状を有しており、その長手方向に沿って複数のＬＥＤ素子１６０が並んで配置されている。このようにＬＥＤバックライト１６を構成することにより、複数のＬＥＤ素子１６０を簡易にテレビ１内に配置することができる。
【００３８】
また、ＬＥＤバックライト１６には、ＬＥＤ素子１６０に電流を供給する回路（不図示）が設けられており、バックライトシャーシ１７の背面に配置されるメイン回路基板２１上に設けられている回路（不図示）と電気的に接続されている。
【００３９】
ＬＥＤバックライト１６の長手方向の一方の端部には、メイン回路基板２１に電気的に接続するためのコネクタ１６１が設けられており、また、ＬＥＤバックライト１６には、コネクタ１６１と各ＬＥＤ素子１６０とを電気的に接続する回路（不図示）が設けられている。
【００４０】
バックライトシャーシ１７の背面に配置されるメイン回路基板２１は、ＬＥＤバックライト１６に設けられている回路とコネクタ１６１を介して電気的に接続されている。
【００４１】
なお、本実施形態では、ＬＥＤバックライト１６の長手方向が、テレビ１の長手方向に平行に配置される構成を例に説明しているが、本発明はこれに限定されるものではなく、例えば、ＬＥＤバックライト１６の長手方向が、テレビ１の短手方向に平行になるように配置してもよい。
【００４２】
バックライトシャーシ１７は、ＬＥＤバックライト１６を保持するシャーシである。また、バックライトシャーシ１７には、ベゼル１１およびシート保持枠１３により、液晶パネル１２、光学シート群１４、および、反射シート１５が保持される。
【００４３】
（スピーカ１８）
スピーカ１８は、テレビ１において再生（表示）されるコンテンツの音声を出力する。スピーカ１８は、バックライトシャーシ１７の背面下部とバックキャビネット２０の正面下部との間に、スピーカ支柱１９を用いて固定される。
【００４４】
（支持ピン３０）
図４は、本実施形態における支持ピン３０および分割された複数のエリアを示す図であり、（ａ）は、支持ピン３０の形状を示す図である。支持ピン３０は、図４の（ａ）に示すように、反射シート１５を固定する底部３０ａと、底部３０ａから正面に向かって突出し、光学シート群１４を背面側から抑え付けるピン３０ｂとを備えている。また、支持ピン３０においても、ＬＥＤ素子１６０から出射される光を反射する構成が好ましいため、支持ピン３０の表面は光の反射性に優れた白色が好ましい。
【００４５】
図４の（ｂ）は、支持ピン３０および分割されたエリアを示す図である。本実施形態における液晶パネル１２は、図４の（ｂ）に示すように、横に１５列、縦に１０列に分割されており、分割されたエリアごとにＬＥＤバックライト１６の光量調整が可能である。また、図４の（ｂ）では、分割されたエリアのうち、６つのエリアにおいて、支持ピン３０が配置されている（例えば、エリアＡ１）。
【００４６】
続いて、ＬＥＤ素子１６０と支持ピン３０との位置関係について、図５を用いて説明する。図５は、本実施形態における支持ピン３０が配置されているエリアの拡大図であり、（ａ）は、支持ピン３０の配置の一例を示す図であり、（ｂ）は、支持ピン３０の配置の他の例を示す図である。支持ピン３０は、ＬＥＤ素子１６０と重ならない位置に配置される構成が好ましく、例えば、支持ピン３０は、図５の（ａ）に示すように、正方形の各頂点に配置されたＬＥＤ素子１６０のそれぞれと等しい距離となる位置に配置される構成が挙げられる。また、支持ピン３０は、図５の（ｂ）に示すように、隣接する２つのＬＥＤ素子１６０の中間に配置されてもよい。
【００４７】
一方、支持ピン３０を用いた場合、テレビ１が表示する表示画像に、ＬＥＤ素子１６０が照射する光による支持ピン３０の影が映ってしまう。テレビ１が表示する表示画像に映る支持ピン３０の影を、図６に示す。図６は、本実施形態に係るテレビ１が表示する表示画像に映る支持ピン３０の影の画像である。図６に示す点線の円の中に見える「×」が、支持ピン３０の影である。支持ピン３０の影のように、テレビ１が表示する表示画像の不均一性を低減するための補正データについて、以下に説明する。
【００４８】
（補正データの作成）
補正データを作成する方法について、図４の（ｂ）に示す液晶パネル１２を用いた場合を例に挙げて説明する。本実施形態では、補正データとして画像データに加算する補正値を用いるが、本発明における補正データはこれに限定されない。例えば、画像データに乗算する値を補正値として用いてもよい。また、本実施形態では、表示画像の輝度および色度を測定し、測定された輝度および色度を参照して補正データを作成しているが、輝度および色度の少なくとも何れかを参照して補正データを作成してもよい。なお、この場合に作成される補正データは、輝度および色度の少なくとも何れかが均一になる補正データである。
【００４９】
まず、図４の（ｂ）に示すエリアのうち、支持ピン３０を含むエリアＡ１において、ローカルディミング時の光量が最大になるよう表示制御部２４２はＬＥＤバックライト１６を制御する。この状態において、エリアＡ１の輝度および色が均一になる画像データの値を算出する。
【００５０】
例えば、エリアＡ１がＤＵＴＹ比９０％でローカルディミング時の光量が最大となる場合、エリアＡ１をＤＵＴＹ比９０％で点灯させたときの表示画像の輝度および色度を測定する。そして、測定された輝度および色度を参照して、補正データを作成する。より具体的には、液晶パネル１２に供給される画像データに対して「４０」を加算するとエリアＡ１の輝度および色が均一になる場合、ＤＵＴＹ比であるＰＷＭ設定「９０％」と、補正値「４０」とを関連付けた補正データを作成する。
【００５１】
続いて、エリアＡ１において、ローカルディミング時の光量が最小になるよう表示制御部２４２はＬＥＤバックライト１６を制御する。この状態において、エリアＡ１の輝度および色が均一になる画像データの値を算出する。
【００５２】
例えば、エリアＡ１がＤＵＴＹ比３０％でローカルディミング時の光量が最小になる場合、エリアＡ１をＤＵＴＹ比３０％で点灯させたときの表示画像の輝度および色度を測定する。そして、測定された輝度および色度を参照して、補正データを作成する。より具体的には、液晶パネル１２に供給される画像データに対して「１０」を加算するとエリアＡ１の輝度および色が均一になる場合、ＤＵＴＹ比であるＰＷＭ設定「３０％」と、補正値「１０」とを関連付けた補正データを作成する。
【００５３】
そして、ＰＷＭ設定が「３０％」から「９０％」の間のＰＷＭ設定に関連付けられる補正値は、ＰＷＭ設定「３０％」に関連付けられた「１０」と、ＰＷＭ設定「９０％」に関連付けられた「４０」との間でリニアになるように算出された値を補正値とする。
【００５４】
このような方法で作成された補正データを、図７に示す。図７は、本実施形態における補正データを示す図である。図７に示すように、補正データでは、ＰＷＭ設定「９０％」に補正値「４０」が関連付けられており、ＰＷＭ設定「３０％」に補正値「１０」が関連付けられている。また、ＰＷＭ設定が「３０％」から「９０％」の間のＰＷＭ設定には、リニアになるような補正値がそれぞれ関連付けられている。
【００５５】
また、図７に示すように、ＬＥＤバックライト１６の光量が小さくなるに従って、補正値は小さくなる。この構成は上述したエリアＡ１に限らず、複数のエリアにおける画像データに加算する補正値は、複数のエリアの各々におけるＬＥＤバックライト１６の光量が小さくなるにしたがって、当該エリアに対応する補正データの値は小さくなるように生成される。
【００５６】
（補正処理）
テレビ１が液晶パネル１２における輝度ムラおよび色ムラを、補正データを使用して補正する処理について、図８を用いて説明する。図８は、本実施形態に係るテレビ１が実行する補正処理の流れを示すフローチャートである。
【００５７】
（ステップＳ１）
画像取得部２４０は、チューナ２２が受信した放送番組の画像を取得する。画像取得部２４０は、取得した画像を示す画像データを表示制御部２４２に出力する。
【００５８】
（ステップＳ３）
表示制御部２４２は、分割された複数のエリアのそれぞれに対するＬＥＤバックライト１６の光量を決定する。各エリアにおけるＬＥＤバックライト１６の光量を表示制御部２４２が決定する方法の例として、取得した画像データに応じたものが挙げられる。より具体的には、表示制御部２４２は、取得した画像データにおける暗い部分を表示するエリアの光量は少なくし、取得した画像データにおける明るい部分を表示するエリアの光量は多くする構成（ＨＤＲ（High Dynamic Range））が挙げられる。
【００５９】
（ステップＳ５）
表示制御部２４２は、決定した各エリアの光量に応じて、画像データを補正する。例えば、テレビ１では、図７に示す補正データを、テレビ１が備える記憶部（不図示）に予め格納されているとする。そして、ステップＳ３において、表示制御部２４２は、支持ピン３０が含まれるエリアＡ１の光量（ＰＷＭ設定）が「８０％」だった場合、当該エリアに表示される画像データに補正値「３５」を加算する。
【００６０】
（ステップＳ７）
表示制御部２４２は、決定した光量にてＬＥＤバックライト１６を制御し、補正後の画像データを液晶パネル１２に出力することにより、画像を表示する。
【００６１】
このように、本実施形態に係るテレビ１は、複数のエリアに分割され、当該複数のエリアごとに光量調整が可能なＬＥＤバックライト１６と、ＬＥＤバックライト１６の前面側に配置された液晶パネル１２と、液晶パネルに供給するデータを、複数のエリアにおけるＬＥＤバックライト１６の光量に応じて補正する制御部２４（表示制御部２４２）と、を備えている。そして、テレビ１は、対応するエリアのＬＥＤバックライト１６の光量と、その周囲のエリアのＬＥＤバックライト１６の光量との差に応じて（例えば、対応するエリアの光量と、その周囲のエリアの光量との差があるか否かに応じて）補正する。そのため、テレビ１は、ローカルディミング時、およびＨＤＲ（ハイダイナミックレンジ）時であっても、各エリアに補正データを用いることにより、表示画像の不均一性を低減することができる。
【００６２】
また、本実施形態に係るテレビ１は、液晶パネル１２の裏面側に配置された光学シート群１４と、光学シート群１４をＬＥＤバックライト１６側から支持する支持ピン３０とをさらに備え、制御部２４（表示制御部２４２）は、支持ピン３０の影に起因した表示画像の不均一性が低減されるように、液晶パネル１２に供給する画像データを補正する。そのため、テレビ１は、表示画像の不均一性を低減することができる。
【００６３】
また、支持ピン３０の影に起因した表示画像の不均一性を低減させる方法として、支持ピン３０を透明にする方法もある。しかしながら、支持ピン３０を透明にした場合、支持ピン３０の底部３０ａがＬＥＤバックライト１６の光を反射しなくなってしまう。そこで、支持ピン３０のピン３０ｂのみを透明にする方法も考えられるが、支持ピン３０が２色成形となり、支持ピン３０の製造工程が複雑になり、また、コストもアップしてしまう。本発明では、表面が光の反射性に優れた白色であり、製造コストが安価な支持ピン３０を用いたテレビ１を実現することができる。
【００６４】
また、本実施形態では、主に支持ピン３０の影に起因した表示画像の不均一性を低減させる補正について説明したが、本発明はこれに限定されない。例えば、光学シート群１４の厚さのバラツキ、反射シート１５のムラといったことに起因した表示画像の不均一性も低減させることができる。
【００６５】
なお、上述したステップＳ５では、図７に示す補正データ（エリアＡ１を点灯させることによって作成した補正データ）を、エリアＡ１に表示される画像データの補正に使用したが、支持ピン３０を含む他のエリアに表示される画像データの補正に使用する構成であってもよい。換言すると、テレビ１は、複数のエリアのうち、少なくとも１つのエリア（エリアＡ１）の表示画像の輝度および色度の少なくとも何れかを参照して作成された補正データを用いて、複数のエリアのうち、少なくとも１つのエリア以外のエリアに供給する画像データを補正してもよい。この構成により、テレビ１において用いられる補正データを容易に作成することができる。
【００６６】
一方、テレビ１は、支持ピン３０を含む各エリアのそれぞれの補正データを、予め記憶部に格納する構成であってもよい。換言すると、テレビ１は、複数のエリアにおける画像データを、当該エリアの表示画像の輝度および色度の少なくとも何れかを参照して作成された補正データを参照して補正してもよい。この場合、テレビ１は、支持ピン３０を含む各エリアに表示される画像データを、各エリアに対応する補正データを用いて補正する。この構成により、テレビ１は、より高い精度で表示画像の不均一性を低減することができる。
【００６７】
〔ソフトウェアによる実現例〕
テレビ１の制御ブロック（特に制御部２４）は、集積回路（ＩＣチップ）等に形成された論理回路（ハードウェア）によって実現してもよいし、ＣＰＵ（Central Processing Unit）を用いてソフトウェアによって実現してもよい。
【００６８】
後者の場合、テレビ１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６９】
〔まとめ〕
本発明の態様１に係る表示装置（テレビ１）は、複数のエリアに分割され、当該複数のエリアごとに光量調整が可能なバックライト（ＬＥＤバックライト１６）と、上記バックライトの前面側に配置された表示パネル（液晶パネル１２）と、上記表示パネルに供給する画像データを、上記複数のエリアにおけるバックライトの光量に応じて補正する補正部（表示制御部２４２）と、を備え、上記補正部は、上記画像データを、対応する上記エリアにおけるバックライトの光量と、その周囲のエリアにおけるバックライトの光量との差に応じて補正する。
【００７０】
上記の構成によれば、表示装置は、複数のエリアに分割され、当該複数のエリアごとに光量調整が可能（ローカルディミング機能を備える）であり、対応するエリアの光量と、その周囲のエリアの光量との差に応じて、対応するエリアの画像データを補正する。そのため、表示装置は、ローカルディミング時においても、表示画像の不均一性を低減することができる。
【００７１】
本発明の態様２に係る表示装置は、上記態様１において、上記表示パネルの裏面側に配置された光学シート（光学シート群１４）と、上記光学シートを上記バックライト側から支持する支持部材（支持ピン３０）と、をさらに備え、上記補正部は、上記支持部材の影に起因した表示画像の不均一性が低減されるように、上記表示パネルに供給する画像データを補正してもよい。
【００７２】
上記の構成によれば、表示装置は、表示パネルの裏面側に配置された光学シートと、光学シートをバックライト側から支持する支持部材を備えている。換言すると、表示装置は、直下型バックライトの構成である。そして、表示装置は、支持部材の影に起因した表示画像の不均一性を低減することができる。
【００７３】
本発明の態様３に係る表示装置において、上記態様１または２における上記補正部は、上記複数のエリアのうち、少なくとも１つのエリア（エリアＡ１）の表示画像の輝度および色度の少なくとも何れかを参照して作成された補正データを用いて、上記複数のエリアのうち、上記少なくとも１つのエリア以外のエリアに供給する画像データを補正してもよい。
【００７４】
上記の構成によれば、表示装置は、複数のエリアのうち、少なくとも１つのエリアの表示画像の輝度および色度を参照して作成された補正データを用いて、上記少なくとも１つのエリア以外のエリアに供給する画像データを補正する。例えば、表示装置は、支持部材が含まれるエリアのうち、１つのエリアの表示画像の輝度および色度を測定し、測定した輝度および色度を参照して作成された補正データを、他の支持部材が含まれるエリアの補正にも用いることができる。そのため、表示装置は、簡易な方法で作成された補正データを用いて、表示画像の不均一性を低減することができる。
【００７５】
本発明の態様４に係る表示装置において、上記態様１〜３の何れかにおける上記補正部は、上記複数のエリアにおける画像データを、当該エリアの表示画像の輝度および色度の少なくとも何れかを参照して作成された補正データを参照して補正してもよい。
【００７６】
上記の構成によれば、表示装置は、各エリアの表示画像の輝度および色度を参照して作成されたエリアにおける補正データを参照して、当該エリアの画像データを補正する。そのため、表示装置は、より高い精度で表示画像の不均一性を低減することができる。
【００７７】
本発明の態様５に係る表示装置において、上記態様３または４における、上記複数のエリアにおける画像データに加算する上記補正データは、上記複数のエリアの各々におけるバックライトの光量が小さくなるに従って、当該エリアに対応する補正データの値が小さくなるように生成されたものであってもよい。
【００７８】
上記の構成によれば、表示装置は、より高い精度で表示画像の不均一性を低減することができる。
【００７９】
本発明の態様６に係るテレビジョン受像機は、上記態様１〜４の何れかにおける表示装置を備える。
【００８０】
上記の構成によれば、テレビジョン受像機は、上記態様１〜４の何れかと同等の効果を奏する。
【００８１】
本発明の各態様に係る表示装置は、コンピュータによって実現してもよく、この場合には、コンピュータを上記表示装置が備える各部（ソフトウェア要素）として動作させることにより上記表示装置をコンピュータにて実現させる表示装置の制御プログラム、およびそれを記録したコンピュータ読み取り可能な記録媒体も、本発明の範疇に入る。
【００８２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８３】
１  テレビ（表示装置）
１２  液晶パネル（表示パネル）
１４  光学シート群（光学シート）
１５  反射シート
１６  ＬＥＤバックライト（バックライト）
２４  制御部
３０  支持ピン（支持部材）
１６０  ＬＥＤ素子
２４０  画像取得部
２４２  表示制御部（補正部）
【図１】
2017062428.tif 000003
【図２】
2017062428.tif 000004
【図３】
2017062428.tif 000005
【図５】
2017062428.tif 000006
【図７】
2017062428.tif 000007
【図８】
2017062428.tif 000008
【図９】
2017062428.tif 000009
【図４】
2017062428.tif 000010
【図６】
2017062428.tif 000011